(57)【要約】【課題】広告を含むリアルタイムのインスタントプレゼンス（ＲＩＰＡ）のためインスタントメッセージング（ＩＭ）のトポロジと無線技術を用いてインスタントメッセージングユーザのプレゼンス情報をセットアップし即時に更新する。【解決手段】第１インスタントメッセ―ジングユーザ２１４がビジネスのロケーションにいるときに無線装置２０８を所持し、無線装置２０８がユーザ２１４のプレゼンス情報を格納し表示する機能を備える、ユーザ２１４のプレゼンス情報の設定方法であって、ビジネスクライアントシステムの装置２１０内で、ビジネスを識別するビジネス情報を格納し、検索し、そのビジネス情報の全部または一部をプレゼンス情報としてユーザ２１４の無線装置２０８によって受信されるようにユーザ２１４の無線装置２０８にプレゼンス情報を送信するステップを含む。【選択図】図２
2008090830.tif 000002
【特許請求の範囲】
【請求項１】
ビジネスを訪問するインスタントメッセージングの訪問ユーザおよび前記訪問ユーザをインスタントメッセージングアドレスリストに載せている一あるいはそれ以上のインスタントメッセージングユーザへプレゼンス情報を送信し、前記インスタントメッセージングの訪問ユーザおよび前記一あるいはそれ以上のインスタントメッセージングユーザに前記プレゼンス情報のうちの前記ビジネスの広告へのリンクを含む部分を表示する、ステップを含むことを特徴とする広告方法。
【請求項２】
前記リンクが、前記プレゼンス情報の他の部分に対するものであり、
短いテキストメッセージ、
ティッカータイプのディスプレイ、
アニメーション、
画像、および
インターネット上のウェブサイトへのリンク、
のうちの１つあるいはそれ以上を含む請求項１に記載の方法。
【請求項３】
前記ビジネスが追加のプロモーションを含む動的な更新を前記インスタントメッセージングの訪問ユーザおよび前記一あるいはそれ以上のメッセージングユーザに送る請求項１または２に記載の方法。
【請求項４】
前記一あるいはそれ以上のインスタントメッセージングユーザをウェブサイトにリンクするステップを有し、前記ユーザが前記ビジネスについての追加情報の購入を申し込むことができ、前記申込みをするユーザが、前記インスタントメッセージングの訪問ユーザの前記プレゼンス情報が更新されているか否かに係わらずに、前記追加情報を受信する請求項１乃至３の何れか１項に記載の方法。
【請求項５】
広告を含むリアルタイムのインスタントプレゼンス用システムであって、
第１のインスタントメッセージングユーザが所有し、インスタントメッセージングクライアントのソフトウェアコンポーネントを含む、第１のインスタントメッセージングユーザの無線装置と、
前記一あるいはそれ以上のインスタントメッセージングユーザの無線装置からリアルタイムのプレゼンス情報を受信し、インスタントメッセージングユーザに広告を含むビジネス情報を送信するための所定のロケーションにおける装置と、
各々が、前記インスタントメッセージングクライアントのソフトウェアコンポーネントを含み、かつ各々が前記第１のインスタントメッセージングユーザのインスタントメッセージングの識別を含むインスタントメッセージングのアドレスリストを有する、一あるいはそれ以上のさらなるインスタントメッセージングユーザの装置であって、前記アドレスリストが前記のさらなるインスタントメッセージングユーザによって管理され、かつ前記アドレスリストのメンバーに対して表示されるプレゼンス情報が前記インスタントメッセージングクライアントのソフトウェアで制御される、一あるいはそれ以上のさらなるインスタントメッセージングユーザの装置と、
前記所定のロケーションにおける装置、前記第１のインスタントメッセージングユーザの無線装置、および前記さらなるインスタントメッセージングユーザの装置とインターネットを介して通信するインスタントメッセージングサーバと、
を有することを特徴とする広告を含むリアルタイムのインスタントプレゼンス用システム。
【請求項６】
前記第１のインスタントメッセージングユーザの前記プレゼンス情報がインスタントメッセージングサーバからインターネットを介して前記さらなるインスタントメッセージングユーザの装置に送信される請求項５に記載のシステム。
【請求項７】
前記第１のインスタントメッセージングユーザの無線装置が、前記第１のインスタントメッセージングユーザの前記プレゼンス情報を、前記インスタントメッセージングクライアントのコンポーネントの制御下で、インターネットを介して前記インスタントメッセージングサーバに送信する請求項５または６に記載のシステム。
【請求項８】
前記インスタントメッセージングサーバが、
ビジネスデータベース、
ユーザデータベース、および
統計レポートが生成されるクリック統計のデータベース、
のうちの１つあるいはそれ以上を格納する請求項５乃至７のいずれか１項に記載のシステム。
【請求項９】
前記ビジネスの装置が統計用コンポーネントを含み、それによって統計が、前記インスタントメッセージングサーバのデータベースから前記ビジネスの装置に送られ、前記ビジネスの前記広告の効果を表示し分析するために格納される請求項８に記載のシステム。
【請求項１０】
第１のインスタントメッセージングユーザの無線装置上で前記第１のインスタントメッセージングユーザによってなされる操作に応じて、前記無線装置上での単一の操作を用いて第１の所定のロケーションにおける装置からのデータ送信を受信することを可能にする第１ステップであって、前記第１のインスタントメッセージングユーザがインスタントメッセージング用の１つあるいはそれ以上の装置を所持する一あるいはそれ以上のさらなるインスタントメッセージングユーザのアドレスリストのメンバーであり、インターネットを介してインスタントメッセージングサーバから受信された入力に基づき前記第１のインスタントメッセージングユーザおよび前記さらなるインスタントメッセージングユーザのアドレスリストを含む前記インスタントメッセージングの機能を制御する、第１ステップと、
前記第１のインスタントメッセージングユーザの前記プレゼンス情報をインターネットを介してインスタントメッセージングサーバに送信する第２ステップと、
前記第１のインスタントメッセージングユーザの前記無線装置からユーザプロフィールの送信を可能にするかあるいは不能にするかの選択的操作を前記第１のインスタントメッセージングユーザから受信する第３ステップと、
前記ユーザプロフィールの前記送信が可能とされ、それによって前記インスタントメッセージングのユーザが前記ユーザプロフィールの提供を了解する場合に、前記第１のインスタントメッセージングユーザの前記ユーザプロフィールを前記無線装置から前記第１の所定のロケーションにおける装置に送信する第４ステップと、
を有することを特徴とするインスタントメッセージングのソフトウェアを含むクライアントの方法。
【発明の詳細な説明】
【技術分野】
【０００１】
本発明は「インスタントメッセージング（瞬時通信）」および広告のための方法およびシステムに関し、特にインスタントメッセージングユーザに広告を含むプレゼンス情報を提供するための方法およびシステムに関する。
【背景技術】
【０００２】
近年のインターネットおよび無線通信の利用の爆発的な拡大によって、それに比例して、「インスタントメッセージング」を利用して有線および無線の手段を介して他のインターネットユーザとリアルタイムで通信するインターネットユーザの数も増大している。「インスタントメッセージング」（ＩＭ）は、ユーザが他のユーザとリアルタイムで通信するために、インターネットあるいはその他の適当なネットワークを介して私的な電子チャットを行うことができるようにするためのサービスとソフトウェアである。無線移動通信はさらにセルラー電話やその他の無線装置としても爆発的な拡大を遂げ、消費者に対しては関連サービスの料金も低減されるようになった。セルラー電話やその他の携帯無線装置のサービスプロバイダはサービスや装置の供給を増やして、無線によるインターネットへのアクセスを可能にした。ＰＤＡ（パーソナルディジタルアシスタント）はそのように広く利用されている装置のうちの１つで、小型で手で持てるコンピュータ装置であり、メモを書いたり、約束のカレンダやアドレス帳を整備するために使用されている。インスタントメッセージングのようなサービスは、以前は家庭やオフィスでケーブルでインターネットに接続されている場合だけしか利用できなかったが、今や前述のような無線装置のユーザも利用できるようになり、移動中でもリアルタイムでインスタントメッセージング通信が可能になった。
【０００３】
他のインスタントメッセージングユーザとの通信を推進するために、インスタントメッセージングサービスプロバイダとインスタントメッセージングソフトウェアは、通常は他のインスタントメッセージングユーザが載っている私的なアドレスリストの維持機能をユーザに提供する。このアドレスリストはもともとは電子アドレス帳に記憶された内容のリストである。従来のインスタントメッセージングのサービスは、主にインスタントメッセージングのユーザにアドレスリスト上に現れるユーザのステータスに注意を喚起することに重点を置いている。このようなステータス情報は通常「プレゼンス」あるいは「プレゼンス情報」と呼ばれている。プレゼンスは通常はインスタントメッセージングユーザの状態に関する情報であり、例えば、ユーザがインスタントメッセージを受信できる状態でいるかどうか、といった内容である。インスタントメッセージングユーザがインスタントメッセージングを受信できない状態（例えばオフライン状態）であれば、その場合には従来のインスタントメッセージングサービスは、他のインスタントメッセージングユーザがこの受信できないユーザにテキストメッセージを送る機能を提供する。このようなサービスで提供されるシステムは、インスタントメッセージングユーザに、プレゼンス情報の一部としてその他の情報をマニュアルで入力し、他のユーザが受信できるようにする機能を提供する。さらに、インスタントメッセージやその他のデータの受信を可能、あるいは不可能（例えば「ビジー」の状態）とするためにプレゼンス情報にマニュアルで指示を与える機能も提供される。
【０００４】
インスタントメッセージング用の従来の方法およびシステムにおける欠点は、プレゼンス情報がロケーション情報で即時には更新されないことである。ロケーション情報はインスタントメッセージングユーザの居場所の情報を含んでいる。この情報は自分の居場所についての情報を他のユーザに提供したい、というユーザには有用である。自分のプレゼンス情報の一部として、ユーザの居場所（例えば移動通信のユーザの場合）を示す機能は通常は提供されていないか、あるいは提供されている場合でも面倒なマニュアル入力が必要である。例えば、ＰＤＡ無線装置は、ロケーション情報を入力するのに、通常はユーザがポインティングタイプのデバイスでＰＤＡスクリーンにマニュアルで入力する必要がある。１つの代表的なＰＤＡポインティングデバイスは「スタイラス」で、文字、記号、グラフィックパターン、グラフィックパターンのエレメント、その他のメニュー項目を選択する。インターネット機能のある従来のセルラー電話を使用する上での欠点はデータ入力用の数値キーパッドを使用して情報を入力する必要があることである。
【０００５】
これらのマニュアル入力による方法の問題は、プレゼンス情報のロケーション部分の更新が即時かつ自動的になされない点である。従来の方法、装置、システムは、ユーザが自分のロケーション情報が一日のうちで変化するたびに、常にマニュアルで更新しなければならない、という多大な労力をユーザに要求する。マニュアル入力は面倒であり、時間がかかり、ミスをしがちになり、これはマニュアルによるキー入力の軽減に最新の人口知能を導入しても改善できない。
【０００６】
従来の方法は、移動中に無線装置でインスタントメッセージングにアクセスするモバイルユーザには、特に煩わしい。モバイルユーザにおける問題は、無線装置へのマニュアルによる情報入力が、移動中であることによっておのずと制限されてしまうことである。移動中のモバイルユーザは、たとえば動いていることによってマニュアル入力の能力を制限される。自動車の運転者にとっては、無線装置にマニュアルで入力しなければならないことは、非常に注意散漫になり、注意散漫な状態での運転を禁止する法律に抵触することにもなりかねない。従って、インスタントメッセージングユーザには、ロケーション情報を自動的に更新する機能のニーズがある。
【０００７】
さらに、プレゼンス情報のマニュアル入力に特有の制約とテキスト入力機能の制約により、従来の方法とシステムは最新の詳細のプレゼンス情報を提供することもできない。さらなる欠点は、従来の方法ではプレゼンス情報の一部としてインスタントメッセージングユーザに入力するロケーション情報を自分で判断して新たな場所に移動するときにはマニュアルでロケーション情報を更新しなければならないことである。従来の方法では、第１のインスタントメッセージングユーザがロケーション情報とロケーションの詳細をマニュアルで入力しない限り、自分のアドレスリストに前記第１のユーザを載せている第２のインスタントメッセージングユーザは第１のユーザの詳しいロケーション情報を受信できないし、第１のユーザのロケーションが変わったときも即座には更新されない。このようなマニュアル入力による方法は、面倒であり、さらには機能しないこともあり、インスタントメッセージングユーザはアドレスリスト上の他のユーザのプレゼンス情報として不完全で、遅れた、あるいは不正確なロケーション情報を提供されることになる。従って、インスタントメッセージングユーザ用の方法とシステムにおいては、ユーザが他のことからそれほど注意をそらす必要なく、より正確に、また、より有用なロケーション情報（例えば所在地、道順、地図へのリンク等）により、自分のプレゼンス情報用のロケーション情報を更新することができる機能を提供するというニーズがある。
【０００８】
さらに、従来の方法およびシステムには、インスタントメッセージングサービスが、ターゲットを定めた広告に有用な手段を提供して実際の収入をもたらし、サービス供給に要する費用を吸収することができるほどのサービスを提供できない欠点がある。インスタントメッセージングユーザが接することのできる従来の広告は、無線によるインスタントメッセージングユーザにターゲットを絞った広告とプロモーションを行うことによる利点をビジネスが充分に享受できないという問題がある。さらなる問題は、自分自身はビジネスサイトを訪問したことがないが、自分のアドレスリストにそのビジネスサイトに訪問したことのある（例えば顧客として）他のインスタントメッセージングユーザを載せている、というようなインスタントメッセージングユーザに向けてのネットワークマーケティングの利点を、ビジネスが享受できるような方法を提供できないことである。従来の方法のさらなる欠点は、ビジネスの広告、プロモーション、ネットワークマーケッティングの効果を高めるための充分な情報をビジネスが得られないことがある点である。
【０００９】
インスタントメッセージングユーザはビジネスが開花するようなポテンシャルのある広告に適した市場を代弁する。従来の方法であれば、広告は、インターネットブラウザあるいはインスタントメッセージングのスクリーン上でインスタントメッセージングユーザに示されるであろう。このタイプの広告の効果は、その広告を見る潜在顧客の数と、ビジネスが提供する製品あるいはサービスにその広告を見た人が興味を感じるかどうか、に関係している。インスタントメッセージングユーザに対するビジネスの広告の従来の方法の欠点は、ユーザあるいは、彼らのアドレスリストに載っているその他のユーザが、そのビジネスについてこれまで何の接触も、関係も、知識もないが、もしそのビジネスをたまたま知ったら注意を引きつけるであろう、という場合のわずかな効果をもつに過ぎない点である。ターゲットを絞らない広告はインスタントメッセージングユーザにとっても迷惑であり、表示部分の面積が小さい無線装置を所持している無線インスタントメッセージングユーザにとってはとくに煩わしい。ターゲットを絞らない広告は、広告の散乱と有用な帯域の浪費の原因となる。
【００１０】
インスタントメッセージングユーザは、ビジネスについて、自分のアドレスリスト上の他のユーザから受け取った推薦を信用する傾向がある。ユーザあるいは顧客は、多くの場合は、自分の知人と年齢、居住地、興味、好み等においてある程度共通した点がある。
【００１１】
従って、インスタントメッセージングおよびプレゼンス情報を用いる広告のための方法およびシステムが、ターゲットを絞った広告を無線装置をもつ顧客およびその他の訪問客に送り、またネットワークで結ばれている人々にこのような広告を即時に送ることができるビジネス機能を設けることもまた要求されている。
【発明の開示】
【発明が解決しようとする課題】
【００１２】
本発明は従来の方法およびシステムにおける上述の欠点を解決することを課題とするものである。
【００１３】
本発明の目的は、広告を含むリアルタイムのインスタントプレゼンス（ＲＩＰＡ）のために、インスタントメッセージング（ＩＭ）のトポロジと無線技術を用いて、自動的にインスタントメッセージングユーザのプレゼンス情報をセットアップし、即時に更新する方法とシステムを提供することである。本発明のさらなる目的は、プレゼンス情報の一部として、ロケーション情報を即時に提供することである。さらなる目的は、プレゼンス情報とともに即時に広告情報を提供し、他のインスタントメッセージングユーザにも情報を送ることである。
【００１４】
本発明のさらなる目的は、ビジネスの製品とサービスのプロモーション、広告、ネットワークマーケッティングを、ビジネスサイトを訪問しているインスタントメッセージングユーザ（例えば顧客）と、この訪問客を自分のアドレスリスト上に載せている他のインスタントメッセージングユーザに対して無線で行うための方法を提供することである。本発明のさらなる目的は、あるインスタントメッセージングユーザ、あるいはそのユーザのアドレスリスト上の他のユーザが訪問するビジネスからの特別なプロモーションに、そのユーザの注意を喚起する機能を提供することである。
【００１５】
本発明のさらなる目的は、インスタントメッセージングユーザのプレゼンス情報のロケーション情報部分を、ユーザがマニュアル入力したり、情報を選択したりすることを必要とせずに、即時に自動的に更新することである。
【００１６】
本発明のさらなる目的は、インスタントメッセージングユーザのアドレスリストを用いて、インスタントメッセージングユーザに向けられた広告の宣伝効果の統計を得る方法を提供することである。さらなる目的は、この統計情報を広告人とサービスプロバイダに提供することである。
【００１７】
本発明のさらなる目的は、動的に更新されるプロモーションをインスタントメッセージングユーザに送る方法およびシステムを提供することである。
【課題を解決するための手段】
【００１８】
これらおよびその他の目的は  本発明によって実現され、その基本的な構成は、第１のインスタントメッセージングユーザのプレゼンス情報を設定する方法を有している。本発明は、無線通信を介してビジネスサイトにいるインスタントメッセージングユーザの無線装置に無線通信でプレゼンス情報を送るためのビジネスクライアントシステムをも含んでいる。一方では、ビジネスクライアントシステムはビジネスサイトにいるインスタントメッセージングユーザからユーザプロフィール情報を受け取る。１つの実施形態においては、ビジネスクライアントシステムはビジネス情報をプレゼンス情報の一部として送信する。さらには、送信されるビジネス情報はロケーション情報を含む。別の実施形態では、ビジネス情報にビジネスのプロモーション情報を含む。また、ある実施形態ではビジネス情報がビジネスの広告情報を含む。本発明は、さらにインスタントメッセージングのクライアントの方法を含んでおり、それはインスタントメッセージングユーザの装置にインストールされて、ビジネスロケーションからのプレゼンス情報を受信し、処理する。一方では、インスタントメッセージングのクライアントはインスタントメッセージングユーザからの情報をビジネスのクライアントシステムに送信する機能を提供する。さらには、インスタントメッセージングのクライアントシステムは第２のインスタントメッセージングユーザのアドレスリストに載っている第１のインスタントメッセージングユーザのプレゼンス情報を受信する機能を提供する。さらに別の利点として、プレゼンス情報は、第１のユーザが訪問するビジネスについての情報を含む。
【００１９】
本発明は、さらにインスタントメッセージングユーザのアドレスリストを使用して、インスタントメッセージングユーザに向けられた広告の宣伝効果に関する統計を得るシステムと方法を含んでいる。さらに別の実施形態では、動的に更新されるプロモーションをインスタントメッセージングユーザに送信する方法およびシステムを提供する。
【００２０】
本発明の前述のおよび関連する利点と特徴は以下の図面を参照した本発明の詳細な説明によって明らかになる。図面では、同様の要素が同一の参照番号で示されている。
【発明を実施するための最良の形態】
【００２１】
本発明は、無線技術を含むインスタントメッセージング（ＩＭ）トポロジを利用して、インスタントメッセージングユーザのロケーションを示すロケーション情報を含むインスタントメッセージングユーザのプレゼンス情報を即時にセットアップし、更新するための方法、装置、およびシステムを提供することを意図している。本発明はさらに、インスタントメッセージングユーザのアドレスリストを介したロケーション情報を含むプレゼンス情報の送信機能をも提供する。さらに本発明は、インスタントメッセージングユーザ向けのビジネスに関する無線によるプロモーション、広告、ネットワークマーケッティングの方法を供給する。
【００２２】
本発明を、図１〜図４を参照して以下に説明する。さらに従来の方法の欠点を解決する本発明の有効な１つの使用例として本発明を説明するが、本発明はこの例に制限されるものではない。
【００２３】
図１は本発明の実施に使用することのできる既存の従来システムのアーキテクチャの機能ブロック図である。具体例としてのアーキテクチャ１００のコンポーネントには、ライン１０６を介してインターネット１０４に接続されたインスタントメッセージングサーバ（ＩＭサーバ）３０２を含む。本発明では、インスタントメッセージングユーザが、インターネット１０４への接続を可能にするインターネットサービスプロバイダを有していることを前提としている。図１は、ユーザがインターネット１０４に接続するために使用しうる具体例として様々な装置が示されている。装置にはディスクトップパソコン１０８および携帯コンピュータ１１２が含まれ、各々ＴＣＰ／ＩＰでライン１１０および１１４を介してインターネット１０４に接続されている。携帯コンピュータ１１２はオプションで無線ネットワーク１１８に接続されており、ネットワーク１１８は図示のようにライン１１９を介してインターネット１０４に接続されている。無線ネットワーク１１８はさらに図示のようにＴＣＰ／ＩＰでライン１２１を介してＰＤＡ１２０に接続されている。一般的なＰＤＡスタイラスデバイスが１３６として記されており、ＰＤＡ１２０のタッチスクリーン上での選択用エレメントとして使用される。図１はさらにＰＤＡ１２０がＴＣＰ／ＩＰでライン１２２経由でインターネット１０４に接続されていることを図示している。図１ではインターネット機能のあるセルラー電話が１２４として別途図示されているが、ＰＤＡ１２０はセルラー電話機能をも有する。
【００２４】
キーボードあるいはスタイラス１３６を使用してＰＤＡ１２０に、あるいはキーパッドを使用してセルラー電話１２４に、マニュアル入力することは、面倒で時間がかかるという欠点がある。一例のプロトコルとして「ｉＭｏｄｅ」および「ＷＡＰ」でライン１２８を介してセルラー電話１２４を無線ネットワーク１２６に接続しているようすを図示している。適当なプロトコルであればどんなプロトコルでも使用できることが当業者には理解される。図１に図示する無線ネットワーク１２６は、ライン１３０を介してゲートウェイ１３２に接続されており、そこからさらにライン１３４を介してインターネット１０４に接続されている。
【００２５】
本発明の基礎となる既存のアーキテクチャの装置は図示のものに制限されない。インターネット経由のインスタントメッセージングの提供が可能ないかなる適当な装置も使用でき、この点は当業者には理解される。
【００２６】
図２〜図４は本発明の実施例と外観を示している。図１に示したインターネットとインスタントメッセージングの既存のシステムアーキテクチャは以下に説明する図２〜図４に示す実施例の実現に使用される。本発明の目的を達成するため、インスタントメッセージングユーザはインターネット接続を提供するサービスプロバイダを有している。
【００２７】
図２は本発明の実施例のフローチャートである。本発明におけるビジネスクライアント（ＲＩＰＡ）の装置は図２で２１０として記されている。一例のビジネスが図２において２０２として記されており、さらに店／レストラン／ホテルのロケーションとしても示されている。しかし、ビジネス２０２はこれらのタイプのビジネスに制限されない。ビジネス２０２は本発明を実施できるいかなるビジネスでもありうる。この全体のフローチャート２００では、ビジネス２０２がビジネス情報２０４をビジネスクライアント（ＲＩＰＡ）の装置２１０に入力する。ビジネス２０２は好ましくはこのビジネスのビジネス情報２０４をビジネスロケーション２０２で、あるいはリモートで入力する。この入力は適当ないかなる手段でも可能である。ビジネスクライアント（ＲＩＰＡ）の装置２１０はビジネス情報を格納、処理し、このビジネス情報は以下の１つあるいはそれ以上を含みうるが、それだけに制限されない。ここでの例は、ビジネスの紹介と説明、ビジネスの所在地と電話番号、その他広告とプロモーション情報である。ビジネスクライアント（ＲＩＰＡ）の装置２１０はビジネス２０２のオーナーによってビジネス２０２の現場に設置され、好ましくはこのビジネスの訪問者や顧客の通る場所や来る場所の近辺に設置されている。
【００２８】
本発明の実施例として、図２においてユーザ２１４は、２０８と記された無線装置を所持している。本発明によるインスタントメッセンジャ「ＩＭクライアント」は２１２として記され、無線装置２０８に既にインストール済みである。動作においては、インスタントメッセージングユーザ２１４がビジネス２０２の現場に現れ、無線装置２０８がＲＩＰＡ装置２１０と通信できる範囲にあるときに、ＲＩＰＡ装置２１０がユーザ２１４の無線装置２０８と通信する。ＲＩＰＡ装置２１０は、２０６として図示されたパスに沿ってユーザ２１４の無線装置２０８に情報を送信することもでき、無線装置２０８から情報を受信することもできる。「ｉｒＤＡ、Ｂｌｕｅｔｏｏｔｈ（登録商標），ｅｔｃ」がＲＩＰＡ装置２１０と無線装置２０８の間の通信に利用される無線通信プロトコルの例として図示されているが、適切な無線プロトコルであればどのようなプロトコルでも使用できることは当業者に知られている。
【００２９】
通常は、ユーザ２１４はビジネス２０２の場所に居て、何らかのプロモーションのサインあるいはその他の手段により、ビジネス２０２がＲＩＰＡ装置２１０からユーザ無線装置２０８に通信させられることを知る。ユーザ２１４は、無線通信２０６のユーザ２１４の無線装置２０８への通信にその場で許可を与えるか、あるいはユーザ２１４がＲＩＰＡ装置２１０とユーザ無線装置２０８との間で通信することを自動的に許可することに予め同意しておくか、の選択ができる。
【００３０】
インストールされた本発明のＩＭクライアント２１２は、なかんずく、インスタントメッセージングユーザ２１４の無線装置２０８に、ＲＩＰＡ装置２１０から情報を受信し、また、ＲＩＰＡ装置２１０に情報を送信する機能をもたせることができる。無線装置２０８の一例の装置が図３に示されている。インストールされた本発明によるインスタントメッセンジャのクライアント２１２を格納し、実行できる適切な装置であれば、いかなる装置でも使用することができる。
【００３１】
図３は本発明を有効に使用した例としての本発明の好ましい実施形態に係るプロセスにおけるステップのフローチャートである。図３は本発明のシステムと装置の実施形態も示している。本発明の方法の好ましい実施形態に係るプロセスのステップ番号は、図３において、以下に説明するステップＳ１〜Ｓ１１に付した参照付号Ｓ１〜Ｓ１１によって示される。
【００３２】
図３は２０２で記されるビジネスを示している。ビジネス２０２は図３の例では「パスタハウス」とされており、現場に位置されている。この場合は、ビジネスと現場（ロケーション）がいずれも２０２と記されている。しかしながら、本発明は現場がビジネス２０２と同じ場所になっているようなビジネスに制限されることはない。
【００３３】
ステップＳ１で、ビジネス（パスタハウス）２０２がビジネス情報２０４を入力することによってビジネスクライアントＲＩＰＡの装置２１０をセットアップする。ビジネス２０２はビジネス情報２０４を好ましくはビジネス２０２のロケーションで、あるいはリモートで入力する。入力は適切ないかなる手段でもよい。ビジネス情報２０４は、以下の１つあるいはそれ以上を含みうるが、それらに制限されるものではない。ビジネスへの紹介、ビジネスの説明、広告、特別なプロモーション、ビジネス２０２のロケーションの所在地と電話番号、およびその他の適当な関連情報（例  電子メールアドレスやウェブサイトアドレス）。
【００３４】
ステップＳ２で、図３で「ジョン」と記されるインスタントメッセージングユーザ２１４が「パスタハウス」と記されるビジネスロケーション２０２に入り、無線装置２０８を所持している。２１２と記される本発明によるインスタントメッセンジャ「ＩＭクライアント」がユーザ（ジョン）２１４の無線装置２０８に事前にインストールされている。動作においては、無線装置２０８はＲＩＰＡ装置２１０と通信可能な範囲にあるか、あるいはユーザ（ジョン）２１４がその範囲に無線装置２０８を移動する場合もある。ユーザ（ジョン）２１４は、ＩＭクライアント２１２のインストールの契約の一部としてＲＩＰＡ装置２１０から自分の無線装置２０８への通信を自動的に受信することに予め同意しておいてもよい。好ましい実施例では、プライバシー上の理由で、ユーザ（ジョン）２１４は何らかの操作（例えば装置の１つのキーをクリックする）によって自分の無線装置２０８がＲＩＰＡ装置２１０からの送信を受け入れる許可を与える必要がある。無線装置２０８に許可を与えるのはユーザ（ジョン）２１４がビジネス２０２の現場に到着する前でも可能である。
【００３５】
動作においては、インスタントメッセージングユーザ（ジョン）２１４が無線通信を許可すると、ＲＩＰＡ装置２１０は、ビジネス情報２０４をユーザの無線装置２０８に送信する。このＲＩＰＡ装置２１０から無線装置２０８への無線送信は無線プロトコルを使った無線通信である。無線通信プロトコルの例としては「ｉｒＤＡ」および「Ｂｌｕｅｔｏｏｔｈ（登録商標）」がある。適切な無線プロトコルであればどんなプロトコルでも使用でき、このことは当業者にも公知である。ＲＩＰＡ装置２１０から送信されたビジネス情報２０４はユーザ（ジョン）２１４の無線装置２０８にインストールされたＩＭクライアント２１２によって処理され、それによってユーザ（ジョン）２１４のプレゼンス情報のロケーションをビジネス（パスタハウス）２０２のロケーションでセットする。
【００３６】
インスタントメッセージングを行うために、インスタントメッセージングユーザ（ジョン）２１４はユーザプロフィール３１８を自分の無線装置２０８に入力し、格納する必要がある。ユーザプロフィール３１８はインスタントメッセージングユーザの名前や電子メールアドレスのようなコンタクト情報を含んでいる。ステップＳ３で、ユーザ（ジョン）２１４は自分が格納したユーザプロフィール３１８をＲＩＰＡ装置２１０に送信することに同意することができる。ユーザプロフィールを送信する同意がなされたことの引換えに、ビジネス２０２が複数のインスタントメッセージングユーザに何らかのプロモーション用インセンティブを提供することができる。動作においては、ＲＩＰＡ装置２１０がユーザプロフィール３１８を受信し、ユーザプロフィール３１８を図３で３１６と記されているビジネスユーザデータベース（ユーザＤＢ）に格納する。
【００３７】
図３に示す例では、インスタントメッセージングユーザ（ジョン）２１４は本発明によるＩＭクライアント２１２を無線装置２０８にインストールしてある。図３に示すようにＩＭクライアント２１２はユーザ（ジョン）２１４の「プレゼンス」情報およびプライベートアドレスリスト３０４の両方を整備（メンテナンス）する。当業者には知られていることだが、インスタントメッセージングサービスプロバイダは、インスタントメッセージングの他のユーザに使用される識別されたインスタントメッセージング用「スクリーンネーム」（普通はニックネームといわれる）を含むアドレスリスト３０４を、加入者が作成することができるようにする。ここでいうインスタントメッセージングの他のユーザとは、前記加入者が事前に選定しておき、それらのユーザと通信し、それらのユーザのプレゼンス情報を表示したいと思っているようなインスタントメッセージングユーザである。図３に示す例におけるユーザ（ジョン）２１４のアドレスリスト３０４には、ロバート、ジュリー、メアリー、ダナ、およびアリーが含まれている。
【００３８】
ユーザ（ジョン）２１４がステップＳ２で最新のプレゼンス情報を受け取った後、ステップＳ４で、ロケーション情報（例えばパスタハウス）を含む新たなプレゼンス情報が本発明による「ＩＭクライアント」２１２によってインターネット１０４を経由してＩＭサーバ３０２に送られる。
【００３９】
ステップＳ５で、ＩＭサーバ３０２は、ユーザ（ジョン）２１４を自分のアドレスリストに載せている一以上のさらなるインスタントメッセージングユーザに対して、ユーザ（ジョン）２１４のプレゼンス情報が更新されたことを通知する。ＩＭサーバ３０２は、さらに、ユーザ（ジョン）２１４の最新のプレゼンス情報をＩＭサーバユーザデータベース（ユーザＤＢ）３１０から前記のさらなるインスタントメッセージングユーザに送信する。図３はまた、さらなるユーザのうちの一人である「ロバート」というユーザ３０６を示している。さらなるユーザ（ロバート）３０６の装置は図３で３０８と記されている。動作では、さらなるユーザ（ロバート）３０６は装置３０８に本発明によるインスタントメッセージング「ＩＭクライアント」２１２を事前にインストール済みである。好ましくは、装置３０８は無線装置であるが、装置３０８はケーブルで接続された適切な装置でもよい。
【００４０】
図３のステップＳ６に示すように、ユーザ（ロバート）３０６の装置３０８はユーザ（ジョン）２１４のロケーション情報を含む最新のプレゼンス情報を表示することができる。図３の例では、ロケーション情報を含む最新のプレゼンス情報は（「パスタハウス」）２０２のロゴあるいはアイコンで表示される。ユーザ（ロバート）３０６は最新のプレゼンス情報（例えばパスタハウスのアイコン）を選択して（例えばクリックして）、ビジネス２０２「パスタハウス」の追加ビジネス情報を得ることができる。
【００４１】
ステップＳ７で、ユーザ（ロバート）３０６がユーザ（ジョン）２１４のプレゼンス情報をクリックすると、ＩＭサーバ３０２はさらにビジネス（「パスタハウス」）２０２のプロモーション情報をユーザ（ロバート）３０６の装置３０８に「プッシュ」することもでき、その情報はＩＭクライアント２１２によって処理される。
【００４２】
図４はステップＳ６とステップＳ７に関連したインスタントメッセージングアドレスリストの例を示している。好ましい実施例では、図４の例に示すように、アドレスリストが２つのコラム、ステータス４１０、およびユーザの「ニックネーム」４１２を表示している。ニックネーム４１２は通常「スクリーンネーム」とも呼ばれ、ユーザのアドレスリストのインスタントメッセージングメンバーを識別する。図４におけるステータス４１０の情報は、アドレスリストの各メンバーのプレゼンス情報を表示するために使用される。図３と図４はアドレスリストの表示の一例を示しているに過ぎない。適切なアドレスリスト表示であれば、どのような表示も使用できる。
【００４３】
図４のアドレスリスト４０２はステップＳ６の後のアドレスリストを示している。例では、ステータス４１０の下にユーザ（ジョン）２１４のプレゼンス情報を示すステータスアイコン４０６「パスタハウス」がある。ステップＳ７で、例えば、図４の矢印で示すように４０２の中のアイコン４０６が選択されると、本発明のＩＭクライアント２１２はアドレスリスト４０２を更新して最新のアドレスリスト４０４を表示する。ユーザ（ジョン）２１４の最新のプレゼンス情報４０８が更新されたアドレスリスト４０４に表示される。最新のプレゼンス情報４０８には追加ビジネス情報が含まれ、その中にはビジネス「パスタハウス」２０２のロケーションの名称、ロケーションの住所、およびプロモーション情報などを含ませることができるが、それらに制限されるものではない。図４の例に示すように、この最新のプレゼンス情報４０８は様々な方法で表示され、テキスト、回転ティッカー（ｔｉｃｋｅｒ）、アニメーション、画像、およびインターネットリンクなどを含むことができるが、それらに制限されるものではない。適切な表示であればどのような表示であれ可能である。
【００４４】
ステップＳ８で、統計機能が示されている。動作としては、ユーザ（ロバート）３０６がユーザ（ジョン）２１４のプレゼンス情報を選択する。次に、ユーザ（ジョン）２１４のプレレゼンス情報はＩＭサーバ３０２に送られ、そこで、その情報は統計目的に適切な手段で処理される。「クリック」統計レポートもＩＭサーバ３０２で生成することができ、これはプレゼンス情報のインスタントメッセージングユーザによる選択に関連した統計を含んでいる。
【００４５】
ステップＳ９で、ＩＭサーバ３０２に格納された「クリック」統計レポートがビジネス（「パスタハウス」）２０２に送られる。レポートの間隔は選択できる（例えば、毎週、毎月、あるいは毎四半期のように）。クリック統計レポートは好ましくは図３に示すようにインターネット１０４経由でビジネス２０２に送られるが、電子メールあるいは書面でビジネス２０２に送ることもできる。
【００４６】
ステップＳ１０で、ビジネス２０２がインターネットへのアクセス機能を有している場合には、図３に示すように、ビジネス２０２は追加のプロモーションあるいはクーポン情報を含む動的更新３２２をＩＭサーバ３０２に送ることができ、ビジネス（データベース）ＤＢ３１２内で維持される。
【００４７】
ステップＳ１１で、ユーザ（ロバート）３０６の装置３０８がユーザ（ジョン）２１４のプレゼンス情報を表示し続ければ、ユーザ（ロバート）３０６はユーザ（ジョン）２１４の最新のプレゼンス情報を得ることができる。別の１つの実施例では、ユーザ（ロバート）３０６がプレゼンス情報中のビジネス（パスタハウス）２０２のロケーションについての追加情報の購入を申し込むオプションが提供されている。ユーザ（ロバート）３０６が購入を申し込めば、ユーザ（ロバート）３０６は追加のプロモーション情報を受け取ることができ、その中には、ビジネス（パスタハウス）２０２が将来ＩＭサーバ３０２に送信し、ビジネスＤＢ３１２内で維持される広告も含まれうる。ユーザ（ロバート）３０６は、これらのプロモーションや広告を、プレゼンス情報内のユーザ（ジョン）２１４のロケーションがビジネス（パスタハウス）２０２には最早セットされていなくなった後でも受け取ることができる。このようにして、この点においては、ユーザ（ロバート）３０６のアドレスリストにあるユーザ（ジョン）２１４の現在のロケーション情報に係わらずに、これらのプロモーションはユーザ（ロバート）３０６に送られ続けうる。他の実施例では、ユーザ（ジョン）２１４がユーザ（ロバート）３０６のアドレスリストのメンバーとして載っていなくても、ビジネス２０２のプロモーションがまたユーザ（ロバート）３０６に送られうる。
【００４８】
このようにして、本発明においては、プレゼンス情報が即時に更新される。このことは、移動環境下において制限されたマニュアル入力で無線装置に入力する場合には特に煩わしいプレゼンス情報のマニュアル入力に要する時間と労力を軽減することによって、マニュアル方式の欠点を解消する。さらに、プロモーションや広告においての、インスタントメッセージングユーザ（ジョン）２１４と、さらなるインスタントメッセージングユーザ（例えば図３の例ではユーザ（ロバート）３０６）、すなわちユーザ（ジョン）２１４と何らかの関係をもっており、自分のアドレスリスト上にユーザ（ジョン）２１４を載せているユーザにターゲットを絞ることもできる。このようにターゲットを絞った広告とプロモーションは、このようにターゲットを絞った広告に有効な手段を供給することによって、従来の方法の欠点を克服し、ビジネスの既存客と知り合いの客を獲得してビジネスに実際の収入をもたらし、インスタントメッセージングサービスの供給に必要な費用を吸収することができる。
【００４９】
以上、本発明を例示した実施例を通じて説明してきたが、当業者は本発明がここに記載された実施例に制限されることなく、また、例示した実施例に対する変更が特許請求の範囲に記載された本発明の精神と範囲から逸脱することなく可能であることを理解すべきである。このようにして、前述の記述は例示とみなされるべきであり、それによって本発明を制限するものではない。
【００５０】
（付記１）無線装置を所持している第１のインスタントメッセージングユーザがビジネスのロケーションにいるときに、この無線装置が前記第１のインスタントメッセージングユーザのプレゼンス情報を格納および表示する機能を備えている、前記第１のインスタントメッセージングユーザのプレゼンス情報を設定する方法であって、
ビジネスクライアントシステムの装置内で前記ビジネスを識別するビジネス情報を格納し、
前記ビジネス情報を検索し、
プレゼンス情報としての前記ビジネス情報の全部または一部を前記第１のインスタントメッセージングユーザの前記無線装置へ送信し、それにより前記プレゼンス情報が前記第１のインスタントメッセージングユーザの前記無線装置によって受信される、
ことを特徴とする第１のインスタントメッセージングユーザのプレゼンス情報を設定する方法。
【００５１】
（付記２）前記ビジネスクライアントシステムから前記インスタントメッセージングユーザの無線装置における前記ビジネスの前記プレゼンス情報を受信し、
前記第１のインスタントメッセージングユーザが前記無線装置上でマニュアル入力することを要求されることなく前記無線装置内に前記プレゼンス情報を格納し、
インスタントメッセージングクライアントのコンポーネントが前記第１のインスタントメッセージングユーザの前記無線装置内にインストールされており、前記コンポーネントが前記無線装置内の前記プレゼンス情報を受信し格納するよう制御する、
付記１に記載の方法。
【００５２】
（付記３）前記プレゼンス情報の前記受信が、前記第１のインスタントメッセージングユーザによってなされる単一の操作に応じて行われる付記２に記載の方法。
【００５３】
（付記４）前記単一の操作がボタンをクリックすることである付記３に記載の方法。
【００５４】
（付記５）前記第１のインスタントメッセージングユーザの前記無線装置が前記ビジネスクライアントシステムの範囲外にあれば、前記ビジネスクライアントシステムと通信が許可された範囲内で前記無線装置を移動するステップを含む付記１に記載の方法。
【００５５】
（付記６）前記ビジネス情報が、前記ビジネスの名称、前記ビジネスの説明、前記ビジネスのプロモーション情報、前記ビジネスの広告、前記ビジネスのロケーション情報のうちの１つあるいはそれ以上の情報項目を含む付記１に記載の方法。
【００５６】
（付記７）前記ビジネスの前記ロケーション情報が、住所、電話番号、前記ロケーションへの道順、前記ビジネスの電子メールアドレス情報、インターネットウェブサイトへの１つあるいはそれ以上のリンク、のうちの１つあるいはそれ以上を含む付記６に記載の方法。
【００５７】
（付記８）一あるいはそれ以上のインスタントメッセージングユーザがインスタントメッセージングのアドレスリストを作成済みであり、このアドレスリストは前記第１のインスタントメッセージングユーザのインスタントメッセージングの識別情報を含み、それによって前記一あるいはそれ以上のインスタントメッセージングユーザが前記第１のインスタントメッセージングユーザのプレゼンス情報を見ることができ、ここで、前記一あるいはそれ以上のインスタントメッセージングユーザの各々は、前記インスタントメッセージングクライアントのコンポーネントがインストールされた装置を所持している付記２に記載の方法。
【００５８】
（付記９）前記第１のインスタントメッセージングユーザおよび前記一あるいはそれ以上のインスタントメッセージングユーザが、インスタントメッセージングサーバを有するインスタントメッセージングサービスの購入を申し込む付記８に記載の方法。
【００５９】
（付記１０）前記インスタントメッセージングサーバから前記一あるいはそれ以上のインスタントメッセージングユーザの前記装置へ前記第１のインスタントユーザの前記プレゼンス情報を送信するステップを含む付記９に記載の方法。
【００６０】
（付記１１）前記第１のインスタントメッセージングユーザの前記プレゼンス情報を、前記一あるいはそれ以上のインスタントメッセージングユーザの装置上で表示するステップを含む付記１０に記載の方法。
【００６１】
（付記１２）前記表示が、前記第１のインスタントメッセージングユーザのプレゼンス情報を表す選択可能なアイコン表示を含む付記１１に記載の方法。
【００６２】
（付記１３）前記一あるいはそれ以上のインスタントメッセージングユーザが、前記選択可能なアイコンを選択し、前記受信したビジネス情報の全部あるいは一部を表示できる付記１２に記載の方法。
【００６３】
（付記１４）前記ビジネス情報の前記表示が、
テキスト、
前記表示がスクロールするティッカータイプの表示、
アニメーション、
画像、および
インターネット上のウェブサイトへのリンク、
のうちの１つあるいはそれ以上の表示を含む付記１１に記載の方法。
【００６４】
（付記１５）前記第１のインスタントメッセージングユーザの前記無線装置から前記ビジネスクライアントシステムに、前記インスタントメッセージングユーザのユーザプロフィールを送信するステップを含む付記２に記載の方法。
【００６５】
（付記１６）前記第１のインスタントメッセージングユーザの前記ユーザプロフィールが、前記第１のインスタントメッセージングユーザのコンタクト情報を含む付記１５に記載の方法。
【００６６】
（付記１７）前記第１のインスタントメッセージングユーザが、前記ユーザプロフィールの送信前に、前記無線装置を明らかに作動させる必要がある付記１５に記載の方法。
【００６７】
（付記１８）前記第１のメッセージングユーザの前記プレゼンス情報を前記インスタントメッセージングクライアントのコンポーネントの制御下で前記インスタントメッセージングサービスの前記インスタントメッセージングサーバに送信するステップを有する付記２に記載の方法。
【００６８】
（付記１９）前記インスタントメッセージングサーバが、
ビジネスデータベース、
前記第１のインスタントメッセージングユーザの前記プレゼンス情報が格納されるユーザデータベース、および
前記プレゼンス情報の閲覧状況の統計を含むクリック統計のデータベース、
のうちの１つあるいはそれ以上を格納する、付記９に記載の方法。
【００６９】
（付記２０）前記プレゼンス情報を前記第１のインスタントメッセージングユーザの前記無線装置上で表示するステップを含む付記２に記載の方法。
【００７０】
（付記２１）広告を含むプレゼンス情報を無線インスタントメッセージングユーザに送るビジネスクライアントシステムであって、
前記ビジネスのビジネス情報を格納する格納コンポーネントと、
無線プロトコルを用いてデータの送受信を行うための無線通信コンポーネントおよび前記ビジネス情報を前記無線インスタントメッセージングユーザに送信することによって前記無線インスタントメッセージングユーザのプレゼンス情報を更新する送信用コンポーネントを含むビジネスクライアント装置と、
を有することを特徴とするビジネスクライアントシステム。
【００７１】
（付記２２）前記ビジネスクライアント装置がさらに、
前記インスタントメッセージングユーザの前記無線装置からユーザプロフィールを受信するための受信用コンポーネントと、
前記インスタントメッセージングユーザの前記ユーザプロフィールを格納するためのユーザデータベース用コンポーネントと、
を有する付記２１に記載のビジネスクライアントシステム。
【００７２】
（付記２３）前記インスタントメッセージングユーザが前記ユーザプロフィールの提供に同意した後に、前記ユーザプロフィールが、前記インスタントメッセージングユーザによって、前記無線装置のインスタントメッセージングクライアントのコンポーネントの制御下で送信される付記２２に記載のビジネスクライアントシステム。
【００７３】
（付記２４）前記ビジネス情報が、前記ビジネスの紹介、前記ビジネスの説明、前記ビジネスの広告、前記ビジネスの住所、前記ビジネスの電話番号、前記ビジネスの前記ロケーションへの道順、前記ビジネスの電子メールアドレスおよびインターネットウェブサイトへの１つあるいはそれ以上のリンク、のうちの１つあるいはそれ以上を有する付記２１に記載のビジネスクライアントシステム。
【００７４】
（付記２５）前記ビジネスの前記ビジネス情報の選択における前記インスタントメッセージングユーザの行動についての統計レポートを受信し格納する統計用コンポーネントを有し、前記統計レポートがインスタントメッセージングサービスのインスタントメッセージングサーバによって送られる、付記２１に記載のビジネスクライアントシステム。
【００７５】
（付記２６）前記統計レポートが電子メールあるいは印刷物で前記ビジネスに配送される付記２５に記載のビジネスクライアントシステム。
【００７６】
（付記２７）前記インスタントメッセージングサーバからの統計レポートが、ビジネス分析および前記送信済みビジネス情報のマーケッティングでの成功測定についての情報を含む付記２５に記載のビジネスクライアントシステム。
【００７７】
（付記２８）ビジネスを訪問するインスタントメッセージングの訪問ユーザおよび前記訪問ユーザをインスタントメッセージングアドレスリストに載せている一あるいはそれ以上のインスタントメッセージングユーザへプレゼンス情報を送信し、前記インスタントメッセージングの訪問ユーザおよび前記一あるいはそれ以上のインスタントメッセージングユーザに前記プレゼンス情報のうちの前記ビジネスの広告へのリンクを含む部分を表示する、ステップを含むことを特徴とする広告方法。
【００７８】
（付記２９）前記リンクが、前記プレゼンス情報の他の部分に対するものであり、
短いテキストメッセージ、
ティッカータイプのディスプレイ、
アニメーション、
画像、および
インターネット上のウェブサイトへのリンク、
のうちの１つあるいはそれ以上を含む付記２８に記載の方法。
【００７９】
（付記３０）前記ビジネスが追加のプロモーションを含む動的な更新を前記インスタントメッセージングの訪問ユーザおよび前記一あるいはそれ以上のメッセージングユーザに送る付記２８に記載の方法。
【００８０】
（付記３１）前記一あるいはそれ以上のインスタントメッセージングユーザをウェブサイトにリンクするステップを有し、前記ユーザが前記ビジネスについての追加情報の購入を申し込むことができ、前記申込みをするユーザが、前記インスタントメッセージングの訪問ユーザの前記プレゼンス情報が更新されているか否かに係わらずに、前記追加情報を受信する付記２８に記載の方法。
【００８１】
（付記３２）広告を含むリアルタイムのインスタントプレゼンス用システムであって、
第１のインスタントメッセージングユーザが所有し、インスタントメッセージングクライアントのソフトウェアコンポーネントを含む、第１のインスタントメッセージングユーザの無線装置と、
ビジネスロケーションにおいて、前記一あるいはそれ以上のインスタントメッセージングユーザの無線装置からリアルタイムのプレゼンス情報を受信し、インスタントメッセージングユーザに広告を含むビジネス情報を送信するための装置と、
各々が、前記インスタントメッセージングクライアントのソフトウェアコンポーネントを含み、かつ各々が前記第１のインスタントメッセージングユーザのインスタントメッセージングの識別を含むインスタントメッセージングのアドレスリストを有する、一あるいはそれ以上のさらなるインスタントメッセージングユーザの装置であって、前記アドレスリストが前記のさらなるインスタントメッセージングユーザによって管理され、かつ前記アドレスリストのメンバーに対して表示されるプレゼンス情報が前記インスタントメッセージングクライアントのソフトウェアで制御される、一あるいはそれ以上のさらなるインスタントメッセージングユーザの装置と、
前記ビジネスの装置、前記第１のインスタントメッセージングユーザの無線装置、および前記さらなるインスタントメッセージングユーザの装置とインターネットを介して通信するインスタントメッセージングサーバと、
を有することを特徴とする広告を含むリアルタイムのインスタントプレゼンス用システム。
【００８２】
（付記３３）前記第１のインスタントメッセージングユーザの前記プレゼンス情報がインスタントメッセージングサーバからインターネットを介して前記さらなるインスタントメッセージングユーザの装置に送信される付記３２に記載のシステム。
【００８３】
（付記３４）前記第１のインスタントメッセージングユーザの無線装置が、前記第１のインスタントメッセージングユーザの前記プレゼンス情報を、前記インスタントメッセージングクライアントのコンポーネントの制御下で、インターネットを介して前記インスタントメッセージングサーバに送信する付記３２に記載のシステム。
【００８４】
（付記３５）前記インスタントメッセージングサーバが、
ビジネスデータベース、
ユーザデータベース、および
統計レポートが生成されるクリック統計のデータベース、
のうちの１つあるいはそれ以上を格納する付記３２に記載のシステム。
【００８５】
（付記３６）前記ビジネスの装置が統計用コンポーネントを含み、それによって統計が、前記インスタントメッセージングサーバのデータベースから前記ビジネスの装置に送られ、前記ビジネスの前記広告の効果を表示し分析するために格納される付記３５に記載のシステム。
【００８６】
（付記３７）第１のインスタントメッセージングユーザの無線装置上で前記第１のインスタントメッセージングユーザによってなされる操作に応じて、前記無線装置上での単一の操作を用いて第１のビジネス装置からのデータ送信を受信することを可能にする第１ステップであって、前記第１のインスタントメッセージングユーザがインスタントメッセージング用の１つあるいはそれ以上の装置を所持する一あるいはそれ以上のさらなるインスタントメッセージングユーザのアドレスリストのメンバーであり、インターネットを介して前記インスタントメッセージングサーバから受信された入力に基づき前記第１のインスタントメッセージングユーザおよび前記さらなるインスタントメッセージングユーザのアドレスリストを含む前記インスタントメッセージングの機能を制御する、第１ステップと、
前記第１のインスタントメッセージングユーザの前記プレゼンス情報をインターネットを介してインスタントメッセージングサーバに送信する第２ステップと、
前記第１のインスタントメッセージングユーザの前記無線装置からユーザプロフィールの送信を可能にするかあるいは不能にするかの選択的操作を前記第１のインスタントメッセージングユーザから受信する第３ステップと、
前記ユーザプロフィールの前記送信が可能とされ、それによって前記インスタントメッセージングのユーザが前記ユーザプロフィールの提供を了解する場合に、前記第１のインスタントメッセージングユーザの前記ユーザプロフィールを前記無線装置から前記ビジネス装置に送信する第４ステップと、
を有することを特徴とするインスタントメッセージングのソフトウェアのクライアントの方法。
【００８７】
以上説明したように、本発明によれば、無線技術を含むインスタントメッセージングのトポロジを利用して、インスタントメッセージングユーザのプレゼンス情報を即時にセットアップし更新するための広告を含むリアルタイムのインスタントプレゼンスのための方法およびシステムを提供できる。
また、本発明によれば、ビジネスのロケーション情報、その他のビジネス情報を、ビジネスの顧客でもある無線によるインスタントメッセージングのユーザに供給し、顧客でもあるユーザがビジネスのプレゼンス情報をマニュアル入力する必要性をなくすことができる。
また、本発明によれば、インスタントメッセージングのユーザに送られ、かつインスタントメッセージングのアドレスリストを介して即時に広く配信されるプレゼンス情報を使用した、ビジネスのプロモーション、広告およびネットワークマーケッティングの方法を提供できる。
【図面の簡単な説明】
【００８８】
【図１】本発明の実施に使用できる既存の従来のシステムアーキテクチャを機能的に示すブロック図である。
【図２】本発明の１つの実施形態を機能的に示すフローチャトである。
【図３】本発明の有効な使用例としての本発明の好ましい実施形態に係るプロセスのステップを示すフローチャートおよびシステムを示す図である。
【図４】図３における好ましい実施形態のインスタントメッセージングのアドレスリストの一例を示す図である。
【符号の説明】
【００８９】
２０２    ビジネス
２０４    ビジネス情報
２０６    無線通信
２０８    無線装置
２１０    ＲＩＰＡ装置
２１２    ＩＭクライアント（インスタントメッセンジャ）
２１４    インスタンスメッセージングユーザ
【図１】
2008090830.tif 000003
【図２】
2008090830.tif 000004
【図３】
2008090830.tif 000005
【図４】
2008090830.tif 000006